(57)【要約】【課題】新たな栄養繁殖体の成長がその途上で停止されてしまうことを抑制することができる水耕栽培装置を提供する。【解決手段】水耕栽培装置１００は、種栄養繁殖体１１から成長する植物１０の地下部を収容する栽培槽１と、地下部が成長する地下空間７０と植物１０の地上部が成長する地上空間６０とを区分する仕切部２と、地下空間７０に設けられ、種栄養繁殖体１１がその上に載置される載置台３と、載置台３よりも上方の地下空間７０に設けられ、種栄養繁殖体１１から生成された少なくとも１つの新たな栄養繁殖体１５を支持する支持部４と、を備え、載置台３は少なくとも１つの新たな栄養繁殖体１５とは異なる他の少なくとも１つの新たな栄養繁殖体１５を支持する他の支持部としても機能する。【選択図】図１
2019004759.tif 000002
【特許請求の範囲】
【請求項１】
種栄養繁殖体から成長する植物の地下部を収容する栽培槽と、
前記地下部が成長する地下空間と前記植物の地上部が成長する地上空間とを区分する仕切部と、
前記地下空間に設けられ、前記種栄養繁殖体がその上に載置される載置台と、
前記載置台よりも上方の前記地下空間に設けられ、前記種栄養繁殖体から生成された少なくとも１つの新たな栄養繁殖体を支持する支持部と、を備え、
前記載置台が前記少なくとも１つの新たな栄養繁殖体とは異なる他の少なくとも１つの新たな栄養繁殖体を支持する他の支持部としても機能する、水耕栽培装置。
【請求項２】
種栄養繁殖体から成長する植物の地下部を収容する栽培槽と、
前記地下部が成長する地下空間と前記植物の地上部が成長する地上空間とを区分する仕切部と、
前記地下空間に設けられ、前記種栄養繁殖体がその上に載置される載置台と、
前記載置台よりも上方の前記地下空間に設けられ、前記種栄養繁殖体から生成された少なくとも１つの新たな栄養繁殖体を支持する支持部と、を備え、
前記支持部は、高さ方向に並べられた複数段の棚部によって構成されている、水耕栽培装置。
【請求項３】
前記支持部は、２以上の支持部品を含み、
前記２以上の支持部品のそれぞれは、他の支持部品と一体化されたり、前記他の支持部品から分離されたりする、請求項１または２記載の水耕栽培装置。
【請求項４】
前記少なくとも１つの新たな栄養繁殖体が複数の新たな栄養繁殖体である場合に、前記支持部は、前記支持部とともに前記支持部が支持する前記複数の新たな栄養繁殖体を一体的に移動させ得るように、前記複数の新たな栄養繁殖体を保持する保持部を含む、請求項１〜３のいずれかに記載の水耕栽培装置。
【請求項５】
前記支持部の高さ位置を変更させる高さ変更機構をさらに備えた、請求項１〜４のいずれかに記載の水耕栽培装置。
【請求項６】
前記支持部は、前記植物の根および地下茎を通過させるが、前記新たな栄養繁殖体を通過させない篩い分け部として機能する、請求項１〜５のいずれかに記載の水耕栽培装置。
【発明の詳細な説明】
【技術分野】
【０００１】
本発明は、土壌を使用することなく、植物の根を水または養液に浸しながら、植物を栽培する、いわゆる水耕栽培装置に関する。
【背景技術】
【０００２】
従来から、ジャガイモ等の塊茎類またはサツマイモ等の塊根類の植物を土壌などの培地なしで栽培する水耕栽培装置の開発が行われている。従来の水耕栽培装置においては、たとえば、ジャガイモを栽培する場合、新たな栄養繁殖体の一例の塊茎が成長している間に、地下茎から塊茎が分離して落下すると、塊茎の成長がその途上で停止してしまう。そのため、特許文献１に開示されている従来の水耕栽培装置においては、栽培槽内に網状の支持部を設け、支持部で塊茎を支持することにより、塊茎が、地下茎から分離し、落下することを抑制している。
【先行技術文献】
【特許文献】
【０００３】
【特許文献１】特開平１０−９８９６１号公報
【発明の概要】
【発明が解決しようとする課題】
【０００４】
上記した特許文献１に開示された従来の水耕栽培装置の１段からなる支持部によれば、植物の地下部のうちの比較的上側に位置付けられた部分から伸長した地下茎に形成された塊茎を支持することができない。そのため、新たな栄養繁殖体としての塊茎が、空間に吊り下げられた状態になることがある。その結果、新たな栄養繁殖体に生じる重力のために、新たな栄養繁殖体が、地下茎から分離されて、落下してしまうことがある。新たな栄養繁殖体は、植物から分離されると、その成長が停止してしまう。その結果、当初期待された成長状態の栄養繁殖体を得ることができない。
【０００５】
本発明は、このような従来技術の有する課題に鑑みてなされたものである。そして、本発明の目的は、新たな栄養繁殖体が、成長の途上で、地下茎から分離されて、落下してしまうことを抑制することができる水耕栽培装置を提供することである。
【課題を解決するための手段】
【０００６】
上記課題を解決するために、本発明の第１の態様に係る水耕栽培装置は、種栄養繁殖体から成長する植物の地下部を収容する栽培槽と、前記地下部が成長する地下空間と前記植物の地上部が成長する地上空間とを区分する仕切部と、前記地下空間に設けられ、前記種栄養繁殖体がその上に載置される載置台と、前記載置台よりも上方の前記地下空間に設けられ、前記種栄養繁殖体から生成された少なくとも１つの新たな栄養繁殖体を支持する支持部と、を備え、前記載置台が前記少なくとも１つの新たな栄養繁殖体とは異なる他の少なくとも１つの新たな栄養繁殖体を支持する他の支持部としても機能する。
【０００７】
本発明の第２の態様に係る水耕栽培装置は、種栄養繁殖体から成長する植物の地下部を収容する栽培槽と、前記地下部が成長する地下空間と前記植物の地上部が成長する地上空間とを区分する仕切部と、前記地下空間に設けられ、前記種栄養繁殖体がその上に載置される載置台と、前記載置台よりも上方の前記地下空間に設けられ、前記種栄養繁殖体から生成された少なくとも１つの新たな栄養繁殖体を支持する支持部と、を備え、前記支持部は、高さ方向に並べられた複数段の棚部によって構成されている。
【発明の効果】
【０００８】
本発明によれば、新たな栄養繁殖体が、成長の途上で、地下茎から分離されて、落下してしまうことを抑制することができる。
【図面の簡単な説明】
【０００９】
【図１】本発明の実施の形態１の水耕栽培装置の縦断面図である。
【図２】本発明の実施の形態２の水耕栽培装置の縦断面図である。
【図３】本発明の実施の形態３の水耕栽培装置の支持部の平面図である。
【図４】本発明の実施の形態３の水耕栽培装置の栽培槽の縦断面図である。
【図５】本発明の実施の形態４の水耕栽培装置の第１の例の支持部の縦断面図である。
【図６】本発明の実施の形態４の水耕栽培装置の第２の例の支持部の縦断面図である。
【図７】本発明の実施の形態４の水耕栽培装置の第３の例の支持部の縦断面図である。
【図８】本発明の実施の形態５の水耕栽培装置の栽培槽の縦断面図である。
【図９】本発明の実施の形態５の水耕栽培装置の栽培槽の平面図である。
【発明を実施するための形態】
【００１０】
以下、図面を参照しながら、実施形態の水耕栽培装置および水耕栽培方法を詳細に説明する。
【００１１】
各実施の形態の水耕栽培装置１００は、実施の形態１の水耕栽培装置とほぼ同一であるので、その同一である部分の説明は、実施の形態２以降の説明において繰り返さない。実施の形態２以降の各実施の形態の水耕栽培装置１００は、特に説明がなければ、実施の形態１の水耕栽培装置１００と同一の構成を備えているものとする。
【００１２】
（実施の形態１）
図１を用いて、実施の形態１の水耕栽培装置１００を説明する。
【００１３】
図１に示されるように、本実施の形態の水耕栽培装置１００の一例は、６面体構造のコンテナのような筐体５０を備えている。それにより、植物１０は、筐体５０によって外部空間から遮断された空間内において成長する。本実施の形態の水耕栽培装置１００は、土壌を使用せずに植物１０を栽培する、いわゆる水耕栽培装置である。
【００１４】
水耕栽培装置１００は、種栄養繁殖体１１としての種塊茎から茎１３が延び、茎１３から地下茎１４および根１２が延び、かつ、地下茎１４に新たな栄養繁殖体１５としての新たな塊茎が形成される植物１０を栽培するためのものである。本実施の形態においては、植物１０は、塊茎類の一例のジャガイモであるものとする。ただし、植物１０は、塊根類の一例のサツマイモであってもよい。つまり、植物１０は、種栄養繁殖体１１から成長した新たな栄養繁殖体１５を地下部に形成するものであれば、いかなるものであってもよい。新たな栄養繁殖体１５は、種栄養繁殖体１１が成長した結果として形成され、植物１０が根１２から吸収した水または養液９、地上部としての葉１６の光合成によって得られた養分、および空気中の二酸化炭素等を利用して栄養を蓄積する塊状の部分である。
【００１５】
水耕栽培装置１００は、筐体５０内に栽培槽１を備えている。栽培槽１は、種栄養繁殖体１１から成長する植物１０の地下部を収容する。植物１０が栽培されているときは、栽培槽１は、その内部に養液９を貯留している。養液９はポンプ（図示せず）によって供給管（図示せず）を経由して栽培槽１に供給される。
【００１６】
養液９は、栽培槽１の底面から上方へ延びる排水管（図示せず）から外部へ排出される。したがって、栽培槽１内の養液９の高さは、栽培槽１の底面から排水管の上端までの高さよりも低いかまたは同一になる。植物１０の根１２の先端が養液９に浸かっている。
【００１７】
栽培槽１は、その上端開口の近傍に取り付けられた仕切部２を備えている。仕切部２は、植物１０の地上部が成長する地上空間６０と植物１０の地下部が成長する地下空間７０とを区分する。仕切部２は、植物１０の茎１３が挿入される貫通孔２ａを有している。その貫通孔２ａと植物１０との間には、弾性部材２０が嵌め込まれている。弾性部材２０は、茎１３の先端が貫通孔２ａを通過した後に、貫通孔２ａと茎１３との間に嵌め込まれる。なお、複数の茎１３の先端の全てが仕切部２を通過することができるのであれば、貫通孔２ａの位置は限定されず、また、貫通孔２ａの数は、茎１３の数と同一でなくてもよい。
【００１８】
水耕栽培装置１００は、地下空間７０に設けられ、種栄養繁殖体１１がその上に載置される載置台３を備えている。載置台３は、長方形かつ平板状の座板３ｂと、座板３ｂを支える４本の支柱３ｃとを有している。
【００１９】
４本の支柱３ｃは、同一長さを有し、栽培槽１の底面上に置かれている。座板３ｂは、根１２が養液９に浸ることができるように、種栄養繁殖体１１から伸長した根１２の先端が通過することができる程度の大きさの少なくとも１つの貫通孔３ｘを有している。ただし、根１２は、養液９に浸ることができるのであれば、座板３ｂは、少なくとも１つの貫通孔３ｘを有する代わりに、根１２の先端が通過可能なメッシュ構造を有していてもよい。
【００２０】
養液９の水面は、座板３ｂよりも下側に位置付けられている。したがって、根１２は、養液９に浸ることができるが、種栄養繁殖体１１は、養液９に浸ることはない。そのため、種栄養繁殖体１１の腐敗が抑制されている。
【００２１】
水耕栽培装置１００は、支持部４を備えている。支持部４は、メッシュ構造を有する網部材であり、茎１３が通過することができるが、新たな栄養繁殖体１５が通過することができない程度の大きさを有する多数の開口を有している。したがって、種栄養繁殖体１１から伸長した茎１３は、支持部４のメッシュ構造の開口を通過し、上方へ延びる。ただし、支持部４は、茎１３の先端が通過することができる貫通孔を有しているのであれば、板状の部材であってもよい。
【００２２】
支持部４は、載置台３よりも上方の地下空間７０に設けられている。支持部４は、種栄養繁殖体１１から生成された数個の新たな栄養繁殖体１５を支持する。本実施の形態においては、支持部４は、平板状の部材であり、栽培槽１の４つの内側面に一時的に固定されている。また、本実施の形態においては、載置台３もいくつかの新たな栄養繁殖体１５を支持する他の支持部としても機能する。
【００２３】
このような本実施の形態の水耕栽培装置１００によれば、新たな栄養繁殖体１５は、載置台３の座板３ｂおよび支持部４のそれぞれによって適切な高さ位置で支持されるため、空中にぶら下げられた状態になることがない。したがって、新たな栄養繁殖体１５に生じる重力に起因して、新たな栄養繁殖体１５が植物１０から分離されて落下することを抑制することができる。したがって、新たな栄養繁殖体１５の成長がその途上で停止されてしまうことを抑制することができる。
【００２４】
（実施の形態２）
図２を用いて、実施の形態２の水耕栽培装置１００を説明する。
【００２５】
図２に示されるように、本実施の形態の水耕栽培装置１００においては、支持部４が高さ方向に並べられた複数段の棚部４Ａ，４Ｂによって構成されている点において、実施の形態１の水耕栽培装置１００と異なる。複数段の棚部４Ａ，４Ｂは、それぞれ、メッシュ構造を有する網部材であり、栽培槽１の４つの内側面に一時的に固定されている。複数段の棚部４Ａ，４Ｂは、いずれも、茎１３の先端が通過するが、新たな栄養繁殖体１５が通過することができない程度の大きさを有する多数の貫通孔が形成されているのであれば、板状の部材であってもよい。
【００２６】
複数段の棚部４Ａ，４Ｂからなる支持部４によっても、新たな栄養繁殖体１５は、載置台３の座板３ｂおよび支持部４のそれぞれによって適切な高さ位置で支持されるため、空中にぶら下げられた状態になることがない。したがって、新たな栄養繁殖体１５に生じる重力に起因して、新たな栄養繁殖体１５が植物１０から分離されて落下することを抑制することができる。したがって、新たな栄養繁殖体１５の成長がその途上で停止されてしまうことを抑制することができる。
【００２７】
また、複数段の棚部４Ａ，４Ｂからなる支持部４によれば、一段の棚部からなる支持部４よりも大きな面積を有する支持部４を形成することができる。その結果、水耕栽培装置１００の同一占有面積の領域内においてより多くの新たな栄養繁殖体１５の成長がその途上で停止されてしまうことを抑制することができる。
【００２８】
本実施の形態においては、図２には載置台３が新たな栄養繁殖体１５を支持していない例が示されているが、実施の形態１と同様に、載置台３もいくつかの新たな栄養繁殖体１５を支持する他の支持部として機能するように構成されていてもよい。
【００２９】
（実施の形態３）
図３および図４を用いて、実施の形態３の水耕栽培装置１００を説明する。
【００３０】
本実施の形態の水耕栽培装置１００においては、図３および図４に示されるように、支持部４を構成する棚部４Ａ，４Ｂのそれぞれが支持部品４０Ａ，４０Ｂ，４０Ｃ，４０Ｄを含んでいる点において、実施の形態２の水耕栽培装置１００と異なる。つまり、本実施の形態においては、実施の形態２の複数段の棚部４Ａ，４Ｂのそれぞれが支持部品４０Ａ，４０Ｂ，４０Ｃ，４０Ｄを組合せることによって形作られている。つまり、４つの平板状の支持部品４０Ａ，４０Ｂ，４０Ｃ，４０が、平面視において、１つの平板状部材を構成するように並べられている。
【００３１】
本実施の形態においては、栽培槽１の内側面に梁部４Ｘ，４Ｙが設けられている。梁部４Ｘ上には、棚部４Ａが載置されている。梁部４Ｙ上には、棚部４Ｂが載置されている。具体的には、梁部４Ｘ，４Ｙの上には、支持部品４０Ａ，４０Ｂの枠部の２つの辺と支持部品４０Ｃ，４０Ｄの１つの辺とが載置されている。
【００３２】
本実施の形態の支持部品４０Ａ，４０Ｂ，４０Ｃ，４０Ｄのそれぞれは、連結解除可能な状態で、互いを連結する連結部を有している。これによれば、支持部品４０Ａ，４０Ｂ，４０Ｃ，４０Ｄ同士の位置ズレを抑制することができる。前述の連結部は、一対のマグネット、一対のフック構造、または一対の凹凸嵌合構造であってもよい。
【００３３】
支持部品４０Ａと支持部品４０Ｂとに挟まれた支持部品４０Ｃ，４０Ｄは、それぞれ、連結部によって支持部品４０Ａ，４０Ｂに対して取り外し可能な状態で固定されている。したがって、４つの平板状の支持部品４０Ａ，４０Ｂ，４０Ｃ，４０は、１つの平板状の部材として機能する一方で、個々の支持部品４０Ａ，４０Ｂ，４０Ｃ，４０Ｄに分解可能である。
【００３４】
前述の支持部品４０Ａ，４０Ｂ，４０Ｃ，４０Ｄのそれぞれは、他の支持部品と一体化されたり、他の支持部品から分離されたりする。そのため、その都度必要な支持部品のみを取り外すだけで、成長が完了した新たな栄養繁殖体１５から順次他の部分、すなわち、地下茎１４から分離することによって収穫することが容易になる。
【００３５】
なお、支持部品４０Ａ，４０Ｂ，４０Ｃ，４０Ｄのそれぞれは、枠部の内側にメッシュ構造または網目構造を有している。つまり、支持部品４０Ａ，４０Ｂ，４０Ｃ，４０Ｄのそれぞれは、茎１３の先端が通過することができるが、新たな栄養繁殖体１５は通過できない程度の大きさの多数の開口を有している。
【００３６】
（実施の形態４）
図５〜図７を用いて、実施の形態４の水耕栽培装置１００を説明する。
【００３７】
本実施の形態においては、図５〜図７に示される支持部４は、茎１３の先端が通過できる多数の貫通孔を有する板状部材であるものとする。本実施の形態においては、板状部材の支持部４は、支持部４とともに支持部４が支持する複数の新たな栄養繁殖体１５を一体的に移動させ得るように、複数の新たな栄養繁殖体１５を保持する保持部（４１，４２，４３）を含んでいる。
【００３８】
前述の保持部（４１，４２，４３）は、図５に示される三角錐からなる複数の爪部４１、図６に示される弾性体からなる複数の吸盤部４２、および図７に示される粘着性部材４３、たとえば、ゲルのいずれかであってもよい。保持部の一例の複数の爪部４１は、新たな栄養繁殖体１５に刺さることによって新たな栄養繁殖体１５を保持する。保持部の他の一例の複数の吸盤部４２は、新たな栄養繁殖体１５に吸着することによって新たな栄養繁殖体１５を保持する。保持部のさらに他の一例の粘着性部材４３は、新たな栄養繁殖体１５に粘着することによって新たな栄養繁殖体１５を保持する。
【００３９】
保持部（４１，４２，４３）は、複数の新たな栄養繁殖体１５を支持部４に固定させる。そのため、支持部４を栽培槽１から取り出せば、複数の新たな栄養繁殖体１５の全てを栽培槽１からまとめて取り出すことができる。その結果、複数の新たな栄養繁殖体１５の収穫作業が効率的になる。
【００４０】
（実施の形態５）
図８および図９を用いて、実施の形態５の水耕栽培装置１００を説明する。
【００４１】
本実施の形態の水耕栽培装置１００は、支持部４の高さ位置を変更させる高さ変更機構３０を備えている点において、実施の形態１の水耕栽培装置１００と異なる。高さ変更機構３０は、栽培槽１内に設けられた４本の柱部５と、柱部５に対して摺動する４つの筒状部４Ｓ，４Ｔと、を含んでいる。また、高さ変更機構３０は、４つの筒状部４Ｓ，４Ｔのそれぞれに設けられ、４つの筒状部４Ｓ，４Ｔのそれぞれの位置を柱部５に対して固定する固定器具４Ｓ１，４Ｔ１を含んでいる。
【００４２】
固定器具４Ｓ１，４Ｔ１は、雄ネジ部を有するボルト状の部材であり、筒状部４Ｓ，４Ｔに設けられた雌ネジ部にねじ込まれ、先端が柱部５に当接することにより、筒状部４Ｓ，４Ｔの柱部５に対する位置を固定する。プレート状の支持部４または棚部４Ａ，４Ｂは、その一部が筒状部４Ｓ，４Ｔによって受け止められるような形状を有しており、筒状部４Ｓ，４Ｔとともに、上下方向に移動する。これによれば、植物１０の個体ごとに支持部４の高さ位置を適切な位置に変更することができる。
【００４３】
（実施の形態６）
本実施の形態の水耕栽培装置１００は、図示されていないが、上記した実施の形態１において、支持部４が、植物１０の根１２および地下茎１４を通過させるが、ある程度の大きさ以上の新たな栄養繁殖体１５を通過させない篩い分け部として機能する。つまり、支持部４を構成するメッシュ構造がメッシュの開口を基準サイズとして新たな栄養繁殖体１５を篩い分ける。つまり、篩い分け部は、収穫に適していない相対的に小さい新たな栄養繁殖体１５を通過させるが、収穫に適した相対的に大きな新たな栄養繁殖体１５を通過させない。そのため、篩い分け部を通過するのか否かに基づいて、新たな栄養繁殖体１５の大きさが基準の大きさを超えているか否かを把握することができる。したがって、新たな栄養繁殖体１５を収穫すべき時期か否かの判別が容易になる。前述の篩い分け部は、メッシュ構造、格子構造、およびパンチングメタル構造のうちのいずれかであってもよい。
【００４４】
以下、実施の形態の水耕栽培装置１００の特徴的構成およびそれにより得られる効果を述べる。
【００４５】
（１）  水耕栽培装置１００は、栽培槽１、仕切部２、載置台３、および支持部４を備えている。栽培槽１は、種栄養繁殖体１１から成長する植物１０の地下部を収容する。仕切部２は、地下部が成長する地下空間７０と植物１０の地上部が成長する地上空間６０とを区分する。載置台３は、地下空間７０に設けられ、種栄養繁殖体１１が載置台３の上に載置される。支持部４は、載置台３よりも上方の地下空間７０に設けられ、種栄養繁殖体１１から生成された少なくとも１つの新たな栄養繁殖体１５を支持する。載置台３が少なくとも１つの新たな栄養繁殖体１５とは異なる他の少なくとも１つの新たな栄養繁殖体１５を支持する他の支持部として機能する。これによれば、新たな栄養繁殖体１５に生じる重力に起因して、新たな栄養繁殖体１５が植物１０から分離されて落下することを抑制することができる。そのため、新たな栄養繁殖体１５の成長がその途上で停止されてしまうことを抑制することができる。
【００４６】
（２）  水耕栽培装置１００は、栽培槽１、仕切部２、載置台３、および支持部４を備えている。栽培槽１は、種栄養繁殖体１１から成長する植物１０の地下部を収容する。仕切部２は、地下部が成長する地下空間７０と植物１０の地上部が成長する地上空間６０とを区分する。載置台３は、地下空間７０に設けられ、種栄養繁殖体１１が載置台３の上に載置される。支持部４は、載置台３よりも上方の地下空間７０に設けられ、種栄養繁殖体１１から生成された少なくとも１つの新たな栄養繁殖体１５を支持する。支持部４は、高さ方向に並べられた複数段の棚部４Ａ，４Ｂによって構成されている。これによれば、水耕栽培装置１００の同一占有面積の領域内においてより多くの新たな栄養繁殖体１５の成長がその途上で停止されてしまうことを抑制することができる。
【００４７】
（３）  支持部４は、２以上の支持部品４０Ａ，４０Ｂ，４０Ｃ，４０Ｄを含んでいてもよい。この場合、２以上の支持部品４０Ａ，４０Ｂ，４０Ｃ，４０Ｄのそれぞれは、他の支持部品４０Ａ，４０Ｂ，４０Ｃ，４０Ｄと一体化されたり、他の支持部品４０Ａ，４０Ｂ，４０Ｃ，４０Ｄから分離されたりすることが好ましい。これによれば、成長が完了した新たな栄養繁殖体１５から順次収穫することが容易になる。
【００４８】
２以上の支持部品４０Ａ，４０Ｂ，４０Ｃ，４０Ｄのそれぞれは、連結解除可能な状態で、互いを連結する連結部を有していてもよい。これによれば、支持部品４０Ａ，４０Ｂ，４０Ｃ，４０Ｄ同士の位置ズレを抑制することができる。
【００４９】
（４）  少なくとも１つの新たな栄養繁殖体１５が複数の新たな栄養繁殖体である場合がある。この場合に、支持部４は、支持部４とともに支持部４が支持する複数の新たな栄養繁殖体１５を一体的に移動させ得るように、複数の新たな栄養繁殖体１５を保持する保持部（４１，４２，４３）を含んでいてもよい。これによれば、支持部４を栽培槽１から取り出すことにより、複数の新たな栄養繁殖体１５の全てを栽培槽１からまとめて取り出すことができる。そのため、複数の新たな栄養繁殖体１５の収穫作業が効率的になる。
【００５０】
（５）  支持部４の高さ位置を変更させる高さ変更機構３０をさらに備えていてもよい。これによれば、植物１０の個体ごとに支持部４の高さ位置を適切な位置に変更することができる。
【００５１】
（６）  支持部４は、植物１０の根１２および地下茎１４を通過させるが、新たな栄養繁殖体１５を通過させない篩い分け部として機能してもよい。これによれば、篩い分け部を通過するのか否かに基づいて、新たな栄養繁殖体１５の大きさが基準の大きさを超えているか否かを把握することができる。したがって、新たな栄養繁殖体１５を収穫すべき時期か否かの判別が容易になる。
【符号の説明】
【００５２】
１  栽培槽
２  仕切部
３  載置台
４  支持部（篩い分け部）
４Ａ，４Ｂ  棚部
１０  植物
１１  種栄養繁殖体
１５  新たな栄養繁殖体
３０  高さ変更機構
４０Ａ，４０Ｂ，４０Ｃ，４０Ｄ  支持部品
４１  爪部（保持部）
４２  吸盤部（保持部）
４３  粘着性部材（保持部）
６０  地上空間
７０  地下空間
１００  水耕栽培装置
【図１】
2019004759.tif 000003
【図２】
2019004759.tif 000004
【図３】
2019004759.tif 000005
【図４】
2019004759.tif 000006
【図５】
2019004759.tif 000007
【図６】
2019004759.tif 000008
【図７】
2019004759.tif 000009
【図８】
2019004759.tif 000010
【図９】
2019004759.tif 000011